(57)【要約】  本発明は、ヒトケラチン材料をメイクアップするための転写デバイス（１）であって：−  少なくとも１つの転写面（３）を有する基材（２）と、−  転写面（３）によって支持されかつ少なくとも１つのデジタルプリンタを使用して印刷することによって得られた少なくとも１種の化粧品用着色インクのコート（４）とを含み、着色インクは、転写によってケラチン材料上にメイクアップの結果が得られるように、ケラチン材料に施与されることが意図されるものであり、着色インク（４）は：−  色素と、−  色素以外の、１２０℃以上の沸点を有する転写化合物とを含む、デバイスに関する。
2017501812.tif 000002
【特許請求の範囲】
【請求項１】
ヒトケラチン材料（Ｐ）をメイクアップするための転写デバイス（１）であって、
−  少なくとも１つの転写面（３）を有する基材（２）と、
−  前記転写面（３）によって支持されかつ少なくとも１つのデジタルプリンタを使用して印刷することによって得られた少なくとも１種の化粧品用着色インクのコート（４）であり、前記着色インクは、転写によって前記ケラチン材料（Ｐ）上にメイクアップの結果が得られるように、前記ケラチン材料（Ｐ）に施与されることが意図されるものであるコートと
を含み、前記着色インク（４）は、
・  色素と、
・  前記色素以外の、１２０℃以上の沸点を有する転写化合物と
を含むデバイス（１）。
【請求項２】
前記転写化合物が、好ましくは、グリセロール、エチレングリコール、ジエチレングリコール、トリエチレングリコール、１，５−ペンタンジオール、１−ペンタノール、１−ヘキサノール、ベンジルアルコール、１−ヘキサナール、１−ヘプタナール、２−ピロリドン、Ｎ−メチル−２−ピロリドン、Ｎ−エチルピロリジン、炭酸プロピレン、１，３−ジアミノプロパン、２−イミダゾリジノン、２−アミノ−１−ブタノール、２−アミノプロパノール、エタノールアミン、酢酸ブチル、およびこれらの混合物から選択される、請求項１に記載のデバイス（１）。
【請求項３】
前記インク（４）が、好ましくは、Ｃ５〜Ｃ６モノアルコール、Ｃ２〜Ｃ６ポリオール、Ｃ６〜Ｃ１０エステル、Ｃ５〜Ｃ８ケトン（特に、環状ケトン）、Ｃ６〜Ｃ７アルデヒド、Ｃ３〜Ｃ８環状カーボネート、Ｃ３〜Ｃ８環状尿素、Ｃ２〜Ｃ６アミノアルコール、Ｃ３〜Ｃ６ジアミン、および水混和性アミノシリコーンから選択される少なくとも１種の水混和性転写化合物を含む、請求項１または２に記載のデバイス（１）。
【請求項４】
前記インク（４）が、好ましくは、酢酸ブチル、ベンジルアルコール、イソドデカン、およびミリスチン酸イソプロピル、ならびにこれらの混合物とから選択される少なくとも１種の水不混和性転写化合物を含む、請求項１から３のいずれか一項に記載のデバイス（１）。
【請求項５】
前記着色インク（４）が、１２０℃以下の沸点を有する液体溶媒も含み、かつ／または前記着色インク（４）が、顔料を全く含まず、かつ／または前記着色インク（４）が、粒状充填剤を全く含まず、かつ／または前記着色インク（４）が、２００ｒｐｍで回転するスピンドルを備えたＲｈｅｏｍａｔ  １８０粘度計を使用して従来のプロセスに従って２５℃で測定したときに１ｍＰａ．ｓから５００ｍＰａ．ｓの範囲の粘度を有する、請求項１から４のいずれか一項に記載のデバイス（１）。
【請求項６】
前記転写化合物が、２０℃の温度で流体である、請求項１から５のいずれか一項に記載のデバイス（１）。
【請求項７】
前記転写化合物が、前記着色インクの全質量に対して２％から８０％の範囲、好ましくは１０％から７０％の範囲、好ましくは１５％から７０％の範囲、特に好ましくは２０％から６０％の範囲の質量含量で前記着色インク中に存在し、かつ／または前記転写化合物は、１２５℃以上の沸点を有し、かつ／または前記色素は、前記着色インクの全質量に対して０．０１％から６０％の範囲、好ましくは０．１％から４０％の範囲、優先的には０．１％から２０％の範囲の質量含量で前記着色インク中に存在し、前記色素は任意選択で１種または複数の染料からなり、かつ／または前記着色インクは、前記色素および前記転写化合物が存在している水を含み、前記水は、前記着色インクの全質量に対して１９．９％から９７．９％の範囲、好ましくは２９．９％から８９．９％の範囲、より優先的には３９．９％から７９．９％の範囲の質量含量で前記着色インク中に存在する、請求項１から６のいずれか一項に記載のデバイス（１）。
【請求項８】
前記転写面が、アプリケーターローラの外面、アプリケーターパッドの表面、シート形態の要素、パッチ、多孔質フォームの表面、特にスポンジまたはワイプ、粗いブラシ、微細なブラシ、または植毛チップのすべてまたは部分によって画定される、請求項１から７のいずれか一項に記載のデバイス（１）。
【請求項９】
前記基材（２）が、前記着色インク（４）でメイクアップされることが意図される前記ケラチン材料の性質に関する表示（７）を含み、かつ／または前記基材（２）は、少なくとも１つの半透明または透明な領域（５）を含む、請求項１から８のいずれか一項に記載のデバイス（１）。
【請求項１０】
前記着色インクのコートが、ラスタドットとして各々堆積された異なる色の数種の着色インクを含む、請求項１から９のいずれか一項に記載のデバイス。
【請求項１１】
前記着色インク（４）が、中間流体化合物、特に液体を添加せずに前記ケラチン材料（Ｐ）上に転写することが可能である、請求項１から１０のいずれか一項に記載のデバイス。
【請求項１２】
同じパッケージ内に、各々が請求項１から１１のいずれか一項に記載されている複数の異なるデバイス（１）を含む、化粧品用アセンブリ（１０）であって、前記デバイスは、それらが支持する前記着色インク（４）の化学的性質および／またはそれによって形成されるパターンおよび／または前記ケラチン材料に係合することが意図される前記転写面の形が異なっている、化粧品用アセンブリ（１０）。
【請求項１３】
請求項１から１１のいずれか一項に記載のデバイス（１）を製造するためのプロセスであって、少なくとも１種の化粧品用着色インク（４）のコートを、転写面（３）上に、少なくとも１つのデジタルプリンタを使用して印刷することにあるステップを含み、前記インクは、
・  色素と、
・  前記色素以外の、１２０℃以上の沸点を有する転写化合物と
を含み、
前記着色インク（４）は、あらかじめ定められたパターンに特に印刷され、前記プロセスは、使用者によってパターンを選択および／または作製し、印刷を行う前記プリンタに接続された機械を用いてこのパターンに関する情報を送信するステップを特に含むプロセス。
【請求項１４】
請求項１から１１のいずれか一項に記載のデバイス（１）を製造するための化粧品用アセンブリ（２０）であって、同じパッケージ内に、
ａ）・  色素、
・  前記色素以外の、１２０℃以上の沸点を有する転写化合物
を含む化粧品用着色インクを含むプリンタカートリッジ（２１）と、
ｂ）前記着色インクで印刷されることが意図される転写面（３）と
を含む、化粧品用アセンブリ（２０）。
【請求項１５】
ヒトケラチン材料（Ｐ）をメイクアップするためのプロセスであって、前記ケラチン材料（Ｐ）に、請求項１から１１のいずれか一項に記載のデバイス（１）上に存在する着色インク（４）を施与することにあるステップを含み、前記着色インク（４）は、皮膚表面（Ｐ）に、たとえば眼瞼、爪、唇、もしくは頭皮、または毛髪に特に施与され、
前記プロセスは、メイクアップ領域とメイクアップされていない領域との間の境界が薄くなるように、前記ケラチン材料上に得られたメイクアップを仕上げるステップであり、前記仕上げは、たとえば転写されたパターンの一部のみに、たとえば眼瞼に施与されたパターンの場合にはその上部に摩擦を引き起こすことで行われるステップ、および／または前記転写面（３）によって支持される着色インク（４）のコートによって形成されたパターンを仕上げるステップも特に含むプロセス。
【請求項１６】
前記着色インクでコーティングされることが意図される前記ケラチン材料は、前記着色インクの施与前に、前記着色インクの転写を改善することが意図される中間流体化合物、特に水で覆われておらず、かつ／またはプロセスは、前記転写面により支持される前記着色インクに、前記転写を改善することが意図される中間流体化合物を添加するステップがない、請求項１５に記載のプロセス。
【発明の詳細な説明】
【技術分野】
【０００１】
本発明は、転写によるメイクアップ適用例に関する。
【背景技術】
【０００２】
基材上に印刷されたインクの堆積物を転写することによって、ケラチン材料、特に皮膚をメイクアップすることは難しい。この理由は、公知のインクの印刷が行われると非常に素早く乾燥して、ケラチン材料上への転写が行われなくなるからである。
【０００３】
この問題を解決する１つの方法は、転写面、または水などの適切な溶媒で処理される領域を、湿らすことである。しかしこの方法は、施与される溶媒の量を精密に計量することが常に可能というわけではなく、「流れ」が生じてケラチン材料上への転写を不整および／または不明確にし、したがって満足のいかないメイクアップの結果をもたらすので、受け入れることができないと考えられる。
【０００４】
さらにメイクアップデバイスは、印刷の直後またはその３０分以内に行われる転写の場合、また印刷の数日後またはさらに数カ月後に行われる転写の場合にも、満足のいく転写メイクアップを提供することが望ましい。
【０００５】
加えて、パターンは、ケラチン材料、特に皮膚上転写されたら、比較的安定に残されることも望ましい。言い換えれば、転写の直後またはたとえば転写から１時間以内のいずれかで、生成されたパターンを劣化させることなくメイクアップ領域を特に指で触れることができることが有利である。
【０００６】
しかしながら、従来から生成されてきたメイクアップコーティングは、満足のいく安定性を持たない可能性がある。
【０００７】
この安定性の欠如は、メイクアップパターンに高い精度が求められていないので、必ずしも問題ではない。一方、印刷によって得られた精密なパターンの場合、転写後に得られたメイクアップは安定であることが重要である。
【０００８】
最後に、使用者は、たとえば輪郭を柔らかくし、メイクアップされていない領域との境界が滑らかにできるように、転写から数分以内に、転写されたパターンに手を加えることができることも有利と考えられる。
【０００９】
その結果、使用者が印刷直後にパターンを転写しようとしていてもまたはデバイスのより長いもしくはより短い保管期間後に転写しようとしていても、溶媒を添加せずに、単純な接触によって転写メイクアップを得ることを可能にするメイクアップデバイスが求められている。
【００１０】
転写の数分以内に、必要に応じてケラチン材料上に転写されたパターンに使用者が手を加えることができる、転写メイクアップデバイスを得ることも有利と考えられる。
【００１１】
転写から１時間以内に安定したパターンを得ることを可能にする、利用可能な転写メイクアップデバイスを有することも求められている。
【先行技術文献】
【特許文献】
【００１２】
【特許文献１】米国特許第５  ０３２  ６７０号
【特許文献２】米国特許第４  ９９９  ４１８号
【特許文献３】米国特許第５  １０６  ９４２号
【特許文献４】米国特許第５  ０３０  ７０８号
【特許文献５】米国特許第５  １０２  ９８０号
【特許文献６】米国特許第５  ０４３  ３７６号
【特許文献７】米国特許第５  １０４  ９１３号
【特許文献８】米国特許第５  ２８１  ６５９号
【特許文献９】米国特許第５  １９４  ４６３号
【特許文献１０】米国特許第４  ８０４  ７１９号
【特許文献１１】国際公開第９２／０７９１３号
【特許文献１２】ＥＰ  １  ０４８  ２８２
【特許文献１３】国際公開第０２／３６０８３号
【特許文献１４】ＥＰ−Ａ−１  ４１０  ７８５
【特許文献１５】ＥＰ−Ａ−９３８  ８８７
【発明の概要】
【発明が解決しようとする課題】
【００１３】
本発明は、これらの必要性のすべてまたはいくつかを満たすことを対象とする。
【課題を解決するための手段】
【００１４】
第１の態様によれば、本発明は、ヒトケラチン材料をメイクアップするための転写デバイスであって：
−  少なくとも１つの転写面を有する基材と、
−  転写面によって支持されかつ少なくとも１つのデジタルプリンタを使用して印刷することによって得られた少なくとも１種の化粧品用着色インクのコートであり、この着色インクは、転写によってケラチン材料上にメイクアップの結果が得られるように、ケラチン材料に施与され特に接触して配置されることが意図されるものであるコートと
を含み、この着色インクは：
・  色素と、
・  色素以外の、１２０℃以上の沸点を有する転写化合物と
を含むデバイスに関する。
【００１５】
他に記述しない限り、すべての沸点は大気圧で、すなわち１０１３．２５ｍｂａｒ（１０１３．２５ヘクトパスカル（ｈＰａ）の圧力に対応する）で測定される。
【００１６】
着色インクは水を含んでいてもよい。
【００１７】
比較的高い沸点の転写化合物が着色インク中に存在することは、有利には、ケラチン材料にメイクアップデバイスを適用している最中に、メイクアップされるケラチン材料上への着色インクの良好な転写を得るのを可能にする。
【００１８】
さらに、デジタルプリンタを使用して印刷することによって得られた着色インクのコートの使用は、標準的なメイクアップ適用例と比較した場合、有利なことに、複雑でカスタマイズ可能なメイクアップ結果を得ることが可能になる。
【００１９】
色素は、以下に記述される１種または複数の染料を含んでいてもよい。
【００２０】
好ましくは、デバイス上に存在する着色インクは、２５℃で空気に接触してかつ通常の湿度測定法（相対湿度５５％）で、転写面への印刷後１５分で、特に２４時間後、さらに良好には７日後に完全には乾燥しない。
【００２１】
ケラチン材料上への、完全には乾燥していない着色インクの施与は、インクの転写を容易にする。
【００２２】
着色インクは、転写面によって支持される場合およびケラチン材料に施与させる前に、液体の形をとってもよい。
【００２３】
有利には、インクは、２５℃で１ｍＰａ．ｓから５００ｍＰａ．ｓの範囲、好ましくは１ｍＰａ．ｓから３００ｍＰａ．ｓの範囲の粘度を有する。
【００２４】
本発明のインクの粘度は、当業者に公知の何らかのプロセスを介して、特に下記の従来のプロセスに従って測定されてもよい。２５℃で、２００ｒｐｍで回転するスピンドルを備えたＲｈｅｏｍａｔ  １８０粘度計を使用して、当業者は、それらの一般的な知識に基づいて、測定を行うことができるように、スピンドルＭ１、Ｍ２、Ｍ３、およびＭ４から粘度を測定するためのスピンドルを選択することができる。
【００２５】
特に好ましい手法では、着色インクは、中間流体化合物、特に液体を添加せずにケラチン材料上に転写することが可能である。言い換えれば、着色インクは、デカル転写の場合のように、インクの転写を改善することが意図される中間液体を必ずしも施与させる必要なしに、メイクアップされることが意図される領域と前記着色インクとの単純な接触によってケラチン材料上に転写されてもよい。
【００２６】
着色インクのコートは、いくつかのインクを含んでいてもよい。
【００２７】
印刷することによって堆積された着色インクは、ハーフトーン画像、たとえば単色または多色画像を形成するように、ラスタドットおよび／またはラスタラインの形で転写面上に堆積されてもよい。
【００２８】
着色インクのコートは、ラスタドット内に各々堆積された異なる色のいくつかの着色インクを含んでいてもよい。
【００２９】
転写面に印刷された着色インクによって形成されたパターンは、何らかのタイプのものであってもよい。
【００３０】
パターンは、皮膚の起伏および／または色の不均質性、たとえばしみまたは痣の外観を再現してもよい。
【００３１】
転写面によって支持される着色インクのコートによって形成されたパターンは、可視領域（４００ｎｍ〜８００ｎｍ）の白色光の下で観察した場合着色されていてもよい。変形形態として、パターンは、可視領域の白色光の下で無色であるが、ＵＶ（３６５ｎｍ〜４００ｎｍ）への曝露など、化学的および／またはエネルギーの刺激に供された場合、たとえば着色インクがフォトクロミックまたは蛍光色素を含有する場合に、着色されたように見えてもよい。
【００３２】
有利には、転写化合物は、１２０℃以上、特に１２０℃から３５０℃の範囲、特に１２０℃から３００℃の範囲の沸点を有する。
【００３３】
転写化合物は、有利には室温（２５℃）で液体の形である。
【００３４】
転写化合物は、好ましくは：グリセロール（沸点：２９０℃）、エチレングリコール（沸点：１９７℃）、ジエチレングリコール（沸点：２４５℃）、トリエチレングリコール（沸点：２８５℃）、１，５−ペンタンジオール（沸点：２４２℃）、１−ペンタノール（沸点：１３８℃）、１−ヘキサノール（沸点：１５７℃）、ベンジルアルコール（沸点：２０５℃）、１−ヘキサナール（沸点：１３０℃）、１−ヘプタナール（沸点：１５３℃）、２−ピロリドン（沸点：２４５℃）、Ｎ−メチル−２−ピロリドン（沸点：２０３℃）、Ｎ−エチルピロリジン（沸点：２１１℃）、炭酸プロピレン（沸点：２４０℃）、１，３−ジアミノプロパン（沸点：１４０℃）、２−イミダゾリジノン（沸点：１３１℃）、２−アミノ−１−ブタノール（ｂ．ｐ．＝１７８℃）、２−アミノプロパノール（沸点：１７３℃）、エタノールアミン（沸点：１７１℃）、酢酸ブチル（沸点：１２６℃）、およびこれらの混合物から選択される。
【００３５】
本発明の第１の実施形態によれば、転写化合物は、２５℃の水中で混和性であり（特に、少なくとも５重量％の水中溶解度を有する）、好ましくは、Ｃ５〜Ｃ６モノアルコール、Ｃ２〜Ｃ６ポリオール、Ｃ６〜Ｃ１０エステル、Ｃ５〜Ｃ８ケトン（特に、環状ケトン）、Ｃ６〜Ｃ７アルデヒド、Ｃ３〜Ｃ８環状カーボネート、Ｃ３〜Ｃ８環状尿素、Ｃ２〜Ｃ６アミノアルコール、Ｃ３〜Ｃ６ジアミン、水混和性アミノシリコーン、たとえば、ＮｏｖｅｏｎによってＳｉｌｓｅｎｓｅ  Ｑ−Ｐｌｕｓ  Ｓｉｌｉｃｏｎｅという名称の下で販売されるシリコーンクオタニウム−８（ＩＮＣＩ名）、たとえば、ＮｏｖｅｏｎによってＳｉｌｓｅｎｓｅ  Ａ−２１  Ｓｉｌｉｃｏｎｅという名称の下で販売されるＰＥＧ−７アモジメチコン（ＩＮＣＩ名）およびそれらの混合物などから選択される。
【００３６】
着色インクは、各々が１２０℃以上の、特に１２０℃から３５０℃の範囲の沸点を有する、複数の異なる転写化合物、好ましくは少なくとも３種の異なる転写化合物、好ましくは少なくとも４種の異なる転写化合物を含んでいてもよい。
【００３７】
一実施形態の実施例では、転写化合物は、少なくとも２種の異なるＣ２〜Ｃ６ポリオールの、特に少なくとも３種の異なるＣ２〜Ｃ６ポリオールの、特に少なくとも４種の異なるＣ２〜Ｃ６ポリオールの混合物を含む。
【００３８】
本発明の第２の実施形態によれば、転写化合物は、水中で不混和性である（２５℃の水中で５重量％未満の溶解度）。そのような転写化合物は、化粧品に通常使用される揮発性または不揮発性油から選択されてもよく、これらは、単独でまたは混合物として、任意選択で分枝している天然または合成の炭素系油、炭化水素系油、またはフルオロ油から選択されてもよい。
【００３９】
「不揮発性油」という用語は、室温および大気圧で少なくとも１時間皮膚上に残ることが可能であり、特に室温（２５℃）および大気圧で０．０１ｍｍＨｇ（１．３３Ｐａ）未満の非ゼロ蒸気圧を有する油を意味する。
【００４０】
特に、不揮発性炭素系油、特に、植物、無機物、動物、または合成由来の炭化水素系油、たとえば流動パラフィン（またはワセリン）、スクアラン、水素化ポリイソブテン（Ｐａｒｌｅａｍ油）、パーヒドロスクアレン、マカダミア油、大豆油、スイートアーモンド油、ビューティーリーフ（ｂｅａｕｔｙ−ｌｅａｆ）油、パーム油、グレープシード油、ゴマ油、トウモロコシ油、アララ油、ナタネ油、ヒマワリ油、綿実油、アプリコット油、ヒマシ油、アボカド油、ホホバ油、オリーブ油、小麦胚芽油、またはシアバター油；  ６個超、特に６から３０個の炭素原子を含有する直鎖状、分枝状、または環状エステル、たとえばラノリン酸、オレイン酸、ラウリン酸、またはステアリン酸のエステル；長鎖酸またはアルコール（すなわち、６から２０個の炭素原子を含有する）から誘導されたエステル、特に、式ＲＣＯＯＲ’（式中、Ｒは、７から１９個の炭素原子を含む高級脂肪酸残基を表し、Ｒ’は、３から２０個の炭素原子を含む炭化水素をベースにした鎖を表す）のエステル、特に、Ｃ１２〜Ｃ３６エステル、たとえばミリスチン酸イソプロピル、パルミチン酸イソプロピル、ステアリン酸ブチル、ラウリン酸ヘキシル、アジピン酸ジイソプロピル、イソノナン酸イソノニル、パルミチン酸２−エチルヘキシル、ラウリン酸２−ヘキシルデシル、パルミチン酸２−オクチルデシル、ミリスチン酸または乳酸２−オクチルドデシル、コハク酸ビス（２−エチルヘキシル）、リンゴ酸ジイソステアリル、およびトリイソステアリン酸グリセリルまたはジグリセリル；特にＣ１４〜Ｃ２２の高級脂肪酸、たとえばミリスチン酸、パルミチン酸、ステアリン酸、ベヘン酸、オレイン酸、リノール酸、リノレン酸、またはイソステアリン酸；特にＣ１６〜Ｃ２２の高級脂肪アルコール、たとえばセタノール、オレイルアルコール、リノレイルアルコール、またはリノレニルアルコール、イソステアリルアルコール、またはオクチルドデカノール；およびこれらの混合物を挙げることができる。
【００４１】
デカノール、ドデカノール、オクタデカノール、ベンジルアルコール、４から１０個の炭素原子の液体脂肪酸トリグリセリド、たとえばヘプタン酸またはオクタン酸トリグリセリド、カプリル酸／カプリン酸トリグリセリド；無機または合成由来の直鎖状または分枝状炭化水素、たとえば流動パラフィンおよびその誘導体、ワセリン、ポリデセン、および水素化ポリイソブテンであってパーリームなど；特に脂肪酸の合成エステルおよびエーテル、たとえばプルセリン油、ミリスチン酸イソプロピル、パルミチン酸２−エチルヘキシル、ステアリン酸２−オクチルドデシル、エルカ酸２−オクチルドデシル、またはイソステアリン酸イソステアリル；水酸化エステル、たとえば乳酸イソステアリル、ヒドロキシステアリン酸オクチル、ヒドロキシステアリン酸オクチルドデシル、リンゴ酸ジイソステアリル、クエン酸トリイソセチル、または脂肪アルキルヘプタノエート、オクタノエート、およびデカノエート；ポリオールエステル、たとえばプロピレングリコールジオクタノエート、ネオペンチルグリコールジヘプタノエート、またはジエチレングリコールジイソノナノエート；およびペンタエリトリトールエステル；１２から２６個の炭素原子を含有する脂肪アルコール、たとえばオクチルドデカノール、２−ブチルオクタノール、２−ヘキシルデカノール、または２−ウンデシルペンタデカノールを挙げてもよい。
【００４２】
揮発性化合物の中で、非シリコーン揮発性油、特にＣ８〜Ｃ１６イソパラフィン、たとえばイソドデカン、イソデカン、およびイソヘキサデカンを挙げてもよい。
【００４３】
より優先的には、室温、特に２０℃で液体であるアルカン、より具体的にはデカン、ヘプタン、ドデカン、イソドデカン、イソヘキサデカン、シクロヘキサン、およびイソデカン、およびこれらの混合物を挙げてもよい。
【００４４】
水不混和性転写化合物の中で、イソドデカン（沸点：  １８０℃）、ミリスチン酸イソプロピル（沸点：  １６８℃）、ベンジルアルコール（沸点：  ２０５℃）、イソステアリルアルコール（沸点：  ３３１℃）、ネオペンタン酸イソデシル（沸点：  ２７２℃）、イソノナン酸イソノニル（沸点：  ２８５℃）、オレイルアルコール（沸点：  ３１５℃）、２−オクチルドデカノール（沸点：  ３５８℃）、パルミチン酸イソプロピル（沸点：  ３４０℃）、イソステアリン酸イソプロピル（沸点：  ３６１℃）、およびこれらの混合物を使用してもよい。
【００４５】
本発明による着色インクは、ワックスを含んでいてもよい。
【００４６】
「ワックス」という用語は、室温（２５℃）で固体である親油性化合物であって、状態の可逆的な固／液変化を伴い、その融点が３０℃以上であり最高で１２０℃であってもよい親油性化合物を意味する。ワックスを液体状態（融解）にすることによって、存在し得る油と混和性にすることおよび微視的に均質な混合物を形成することが可能になるが、混合物の温度が室温に戻ると、混合物の油中のワックスの再結晶が得られる。ワックスの融点は、示差走査熱量計（ＤＳＣ）、たとえばＭｅｔｔｌｅｒ社によってＤＳＣ  ３０という名称の下で販売される熱量計を使用して測定されてもよい。
【００４７】
ワックスは、炭化水素をベースにしたワックス、フルオロワックス、および／またはシリコーンワックスであってもよく、植物、無機物、動物、および／または合成由来のものであってもよい。特に、ワックスは、２５℃よりも高い融点を有し、さらに良好には４５℃よりも高い融点を有する。着色インクに使用され得るワックスとして、ビーズワックス、カルナバワックス、またはカンデリラワックス、パラフィン、微結晶質ワックス、セレシン、またはオゾケライト；合成ワックス、たとえばポリエチレンワックスまたはフィッシャートロプシュワックス、シリコーンワックス、たとえば１６から４５個の炭素原子を含有するアルキルまたはアルコキシジメチコンを挙げてもよい。
【００４８】
ワックスの性質および量は、所望の機械的性質およびテクスチャに依存する。指針として、着色インクは、着色インクの全重量に対してワックスを、０．０１重量％から３０重量％、さらに良好には１重量％から２０重量％含有していてもよい。
【００４９】
着色インクは、有利には、各々が２５℃の水中で混和性である複数の転写化合物の混合物を含む。変形形態として、着色インクは、各々が水不混和性である複数の転写化合物の混合物を含む。別の変形形態として、着色インクは、複数の転写化合物の混合物を含み、１種または複数の水混和性転写化合物と１種または複数の水不混和性転写化合物との両方を含む。
【００５０】
一実施形態の実施例では、着色インクは、沸点が１２０℃未満の液体である（２５℃で）有機溶媒も含む。そのような有機溶媒の例として、ｎ−ヘキサン（沸点：  ６９℃）、シクロヘキサン（沸点：  ８１℃）、酢酸エチル（沸点：  ７６℃）、ｎ−ヘプタン（沸点：  ９８℃）、酢酸イソブチル（沸点：  １１６℃）、酢酸メチル（沸点：  ５７℃）、エタノール（沸点：  ７８℃）、ブタノール（沸点：  １１７℃）、イソプロパノール（沸点：  ８１℃）、ｎ−プロパノール（沸点：  ９７℃）、およびこれらの混合物を挙げてもよい。
【００５１】
着色インクは、水溶液、水性ゲル、またはエマルジョンの形をとってもよい。
【００５２】
転写化合物は、インクの全質量に対して２％から８０％の範囲、好ましくは１０％から７０％の範囲、好ましくは１５％から７０％の範囲、特に好ましくは２０％から６０％の範囲の質量含量で、着色インク中に存在してもよい。
【００５３】
着色インクでの十分量の転写化合物の使用は、そのケラチン材料上への転写をさらに改善するのを、特に転写を改善することが意図される中間流体化合物の使用をなくすのを、可能にする。
【００５４】
好ましくは、着色インクは顔料を全く含まない。
【００５５】
また好ましくは、着色インクは粒状充填剤を全く含まない。
【００５６】
色素は、インクの全質量に対して０．０１％から６０％の範囲、好ましくは０．１％から４０％の範囲、優先的には０．１％から２０％の範囲の質量含量で着色インク中に存在してもよい。
【００５７】
着色インクは、インクの全質量に対して１９．９重量％から９７．９重量％の範囲、好ましくは２９．９重量％から８９．９重量％の範囲、優先的には３９．９％から７９．９％の範囲の質量含量で水を含んでいてもよい。
【００５８】
基材および転写面
一実施形態の実施例では、本発明で使用される基材は、少なくとも１つの半透明または透明な領域を含む。
【００５９】
半透明または透明な領域では、使用者は、基材を通して見ることが可能になり、したがって化粧品用インクを転写する前に、メイクアップおよび／または処理される表面をより容易に視覚化することが可能になる。したがって半透明または透明な領域の存在は、有利には、ケラチン材料上での精密なメイクアップ結果の生成を容易にするのに寄与する。
【００６０】
基材の半透明または透明な領域上には、全体としてまたは部分的に化粧品用インクの層を重ねることができ、特に層をオーバーラップさせてもよい。
【００６１】
化粧品用インクのコートは、その全体を、基材の半透明または透明な領域上に重ねてもよい。変形形態として、化粧品用インクのコートの一部のみを、基材の透明な領域上に重ねる。
【００６２】
基材は、透明なまたは半透明の材料で作製されてもよい。この場合、半透明または透明な領域は、基材の全面にわたって拡がる。
【００６３】
変形形態として、基材は、その面の全体にわたってまたは部分が不透明である。
【００６４】
基材は、シート形態の材料、特に透明な材料を含んでいてもよい。
【００６５】
基材は、可撓性シートまたは剛性プレートであってもよい。基材はプラスチック（たとえば、ポリエチレンまたはポリスチレン）で作製されてもよい。基材は織られていても不織であってもよい。基材は有機または無機材料で作製されてもよい。基材はアルミ箔であってもよい。
【００６６】
基材は、優先的に、非吸収性材料、たとえばプラスチック被膜をベースにする。基材は、有利には、少なくともプリントを受容することが意図される面上が非多孔質である。
【００６７】
転写面は、毛管作用によって化粧品用インクを保持してもよい。
【００６８】
転写面は、平らであってもそうでなくてもよい。
【００６９】
基材の転写面は：アプリケーターローラの外面、アプリケーターパッドの表面、シート形態の要素、パッチ、多孔質フォームの表面、特にスポンジまたはワイプ、粗いブラシ、微細なブラシ、または植毛チップのすべてまたは部分によって画定されてもよい。
【００７０】
アプリケーターローラは、適正な（ｒｉｇｈｔ）シリンダの形を有していてもよい。一変形形態では、ローラは、不規則なシリンダの形、たとえば砂時計の形を有する。
【００７１】
一変形形態では、ローラは「プリモールド」され、すなわちローラは、メイクアップされる領域の一般的な形に対応して当初は平らではない形を有し、たとえば唇、眼窩、足首、または前腕の原版である。
【００７２】
一変形形態では、基材は、メイクアップされる領域のインプリントに対して転写するときにめっきされ、したがって転写面は、メイクアップされる領域の起伏を再現するようになる。
【００７３】
転写面は、たとえば、アプリケーターローラまたはパッドの表面に取り付けられた変形可能なシートの表面のすべてまたは部分によって画定される。
【００７４】
転写面は、弾性的に変形可能であってもよい。したがって、第１の構成では、転写面は平らであってもよく、第２の構成では、転写面は湾曲していてもよい。
【００７５】
一変形形態では、基材は、印刷中に転写面が第１の形をとるように、たとえば実質的に平らになるように、またケラチン材料への着色インクの施与中には、第１の形とは異なる第２の形をとるように構成される。第２の形は、有利には、着色インクでコーティングされることが意図されるケラチン材料の表面の形に対応し、たとえば爪の形または顔の一部に対応する。
【００７６】
基材は、優先的に、非吸収性材料、たとえばプラスチック被膜をベースにする。基材は有利には、少なくともプリントを受容することが意図される面が非多孔質である。
【００７７】
一実施形態では、着色インクが頬および／または爪に施与されることが意図される場合、基材は、１ｍｍ以上、特に３ｍｍ、たとえば１から５ｍｍの範囲の厚さを有していてもよい。
【００７８】
一実施形態では、着色インクが目の周りの領域および／または唇に施与されることが意図される場合、基材は、３ｍｍ以上、特に１ｍｍ、たとえば３から２０ｍｍの範囲の厚さを有していてもよい。
【００７９】
一実施形態の実施例では、着色インクが鼻および／または耳の領域に施与されることが意図される場合、基材は、１ｃｍ以上、特に３ｃｍ、たとえば１から４ｃｍの範囲の厚さを有していてもよい。
【００８０】
したがって基材は、有利には、メイクアップされるケラチン材料の領域に適合される厚さを有する。
【００８１】
基材の厚さは、転写面に垂直に測定された、その最大寸法に対応する。
【００８２】
基材は、可変の厚さを有していてもよい。
【００８３】
基材はプリモールドされていてもよい。
【００８４】
一実施形態の実施例では、基材は、転写されることが意図されるものと同じインクで印刷されたまたは印刷されていない、表示を含む。表示は、たとえば着色インクでメイクアップされることが意図されるケラチン材料の性質について述べ、または正しい縮尺で、拡大して、縮小して、もしくはその他の状態で示されており、堆積されたパターンには「表を上にして（ｒｉｇｈｔ−ｓｉｄｅ  ｕｐ）」、基材上には「逆さに（ｗｒｏｎｇ−ｓｉｄｅ  ｕｐ）」が示されている。
【００８５】
一実施形態の実施例では、転写面は、基材の一部から取外し可能である。
【００８６】
基材は、再使用可能であってもよい。
【００８７】
たとえば、印刷は基材上で行われ、これは転写のためにアクセス可能であるがプリンタから離れない。したがって使用後に、プリンタを基材に再度統合することができ、清浄化し、新しいプリントの準備をすることができる。
【００８８】
基材は、印刷前に、着色されていてもよいかつそれ自体をヒトケラチン材料上に転写することが可能と考えられる、コーティングを含んでいてもよい。コーティングは、印刷するのが難しい色で、たとえば白もしくは黒で、またはメイクアップされる皮膚の肌のトーンに近い色、たとえば肌色に着色されていてもよい。変形形態として、コーティングは、それ自体が着色されていない。
【００８９】
これまたはこれらのコーティングは、着色インクで印刷された後に、基材に施与されてもよい。
【００９０】
その態様の別のものによれば、本発明は、同じパッケージ内に、本発明による複数のデバイスを含む、化粧品用アセンブリに関し、これらのデバイスは、それらが支持する着色インクの化学的性質および／またはそれによって形成されるパターンおよび／またはケラチン材料に係合することが意図される転写面の形が異なっている。
【００９１】
本発明の対象は、上記にて定義したデバイスを製造するためのプロセスであって：
・  色素と、
・  色素以外の、１２０℃以上の沸点を有する転写化合物と
を含む、少なくとも１種の化粧品用着色インクを、転写面に、少なくとも１つのデジタルプリンタを使用して印刷することにあるステップを含む、プロセスでもある。
【００９２】
一実施形態の実施例では、着色インクのコートはあらかじめ定められたパターンで印刷される。プロセスは、使用者によってパターンを選択および／または作製し、印刷を行う少なくとも１つのプリンタに接続された機械を用いてこのパターンに関する情報を送信するステップを含んでいてもよい。
【００９３】
機械は、コンピュータ、「スマートフォン」とも呼ばれる最新式携帯電話、またはタブレットコンピュータであってもよい。機械は、物理的にかつ／またはデータ交換網を用いて、前記プリンタに接続されてもよい。
【００９４】
プリンタは、インクジェットプリンタ、たとえば感熱式もしくは圧電式プリンタ、昇華型プリンタ、または３Ｄプリンタであってもよい。プリンタは、本発明の文脈において使用されるように改良された、標準的な商用プリンタであってもよい。
【００９５】
一実施形態の実施例では、印刷は、特にローラの外面に対応して、平らではない転写面上に直接行われる。
【００９６】
印刷は、本発明によるいくつかの異なるインク、特に異なる色のインクを使用してもよい。
【００９７】
印刷は、少なくとも３種の、特に少なくとも４、５、６、７、８、９、１０、１１、または１２種の異なる色の着色インクを使用してもよい。
【００９８】
印刷は、原色の着色インクのみを使用してもよい。変形形態として、印刷は、原色の着色インクと、非原色の少なくとも１種のインクとの両方を使用する。
【００９９】
着色インクのコートの印刷は、３色または４色の印刷であってもよい。
【０１００】
印刷することによって得られたパターンは、異なる色のいくつかの領域を含んでいてもよい。変形形態として、印刷することによって得られたパターンは平板な色調である。
【０１０１】
着色インクのコートは、数回の印刷パスで堆積されてもよい。言い換えれば、着色インクの第１の部分を最初に転写面上に印刷し、その後、着色インクの第２の部分を第１の部分のすべてまたは部分上に印刷してもよい。
【０１０２】
一実施形態の実施例では、基材は、乾燥形態の着色コーティングでコーティングされ、このコーティングは顔料および／または染料を含み、着色インクはコーティング上に印刷される。
【０１０３】
印刷は、幾何学的矯正規則に従ってもよい。施与中に、転写面が変形可能である限り、パターンは幾何学的に変形してもよい（たとえば、２次元の１つで延伸する）。その結果、施与後にパターンが所望のスケールになるように、パターンは幾何学的変形を持つ状態で印刷される（本発明の場合、変形可能な寸法による低減）。幾何学的規則は：処理されるケラチン材料の領域上に転写した後にパターンが所望の形を有するように、普遍的にまたは特異的に、転写面に印刷されるパターンに適用してもよい。そのような矯正規則の使用は、後でわかるように、特にインプリントの形を包含するために、起伏を支持する転写面を有する基材で特に有利である。特に、処理される領域および／または所望のパターンに適合させた特定の幾何学的規則を使用してもよい。
【０１０４】
本発明は、ヒトケラチン材料をメイクアップするためのプロセスであって、ケラチン材料に、本発明によるデバイス上に存在する少なくとも１種の着色インクを施与することにあるステップを含み、この着色インクは、皮膚表面に、たとえば眼瞼、爪、唇、もしくは頭皮に、または毛髪に特に施与されるプロセスにも関する。
【０１０５】
有利には、着色インクは、ケラチン材料に施与された場合、基材上で完全には乾燥しない。着色インクは、ケラチン材料に施与させるとき、特に転写化合物が温度２０℃で流体であるときに、流体の形をとってもよい。
【０１０６】
転写面によって支持されるインクのコートのすべてまたは部分は、ケラチン材料への転写によって施与させてもよい。
【０１０７】
一実施形態の実施例では、転写面に最初に存在する着色インクのコートの少なくとも２５質量％、特に５０％、特に７５％、特に実質的にすべては、好ましくは中間流体化合物を添加せずに好ましくはケラチン材料への転写によって施与される。
【０１０８】
一実施形態の実施例では、着色インクの施与は、ケラチン材料上に転写面を圧力で施与することによって行われ、この圧力は、特に１から１０秒間にわたって加えられるものである。
【０１０９】
処理される面への着色インクの施与は、ラビングなしで行ってもよい。
【０１１０】
本発明による一実現例において、プロセスは、たとえばメイクアップ領域とメイクアップされていない領域との間の境界が薄くなるように、ケラチン材料上に得られたメイクアップを仕上げるステップも含む。得られたメイクアップの仕上げは、たとえばぼかしが生成されるように着色インクを拡げるステップを含んでいてもよい。
【０１１１】
使用者は、ケラチン材料上への着色インクの転写前および／または後に仕上げを行ってもよい。
【０１１２】
したがって、一実施形態の実施例では、プロセスは、転写面によって支持された着色インクを用いて形成されたパターンを仕上げるステップ、および／またはケラチン材料上に得られたメイクアップを仕上げるステップを含み、その結果、メイクアップ領域とメイクアップされていない領域との間の境界が薄くなるようにし、この仕上げは、たとえば転写パターンの一部のみに、たとえば眼瞼に施与されたパターンの場合にはその上部に摩擦を引き起こすことによって行われる。
【０１１３】
有利には、着色インクを受容することが意図されるケラチン材料の領域は、着色インクの施与時には前処理されていない。
【０１１４】
一実施形態の実施例では、着色インクでコーティングされることが意図されるケラチン材料は、着色インクの施与前に、着色インクの転写を改善することが意図される中間流体化合物で覆われておらず、かつ／またはプロセスは、転写面によって支持される着色インクに、転写を改善することが意図される中間流体化合物を添加するステップがない。
【０１１５】
変形形態として、着色インクでコーティングされることが意図されるケラチン材料の領域は、着色インクの施与前に、着色インクの転写を改善するための中間流体化合物で覆われており、かつ／または転写を改善することが意図される中間流体化合物は、そのケラチン材料への施与前に、転写面によって支持された着色インクに添加されている。
【０１１６】
別の変形形態として、特に、転写化合物が温度２０℃で流体ではない場合、特に転写化合物とは異なる中間流体化合物は、着色インクのコート中に存在する転写化合物に添加され、この中間化合物は、任意選択で溶媒の蒸着後に前記転写化合物を流動化するのを可能にし、前記中間化合物は、たとえば１２０℃以上の沸点を有している。
【０１１７】
着色インクの転写を改善するための中間化合物、たとえばエタノールまたはイソドデカンは、特に、転写されることが意図されるケラチン材料の領域に前記インクが接触している間に、着色インクに添加される。
【０１１８】
一実施形態の実施例では、着色インクの転写を改善するための中間流体化合物の添加は、着色インクのすべてまたは部分を溶解することのみ可能にし、たとえばメイクアップデバイスの基材および／または接着剤の層は溶解しない。
【０１１９】
転写化合物を流動化するのに有用な中間化合物を使用する場合、中間化合物は、着色インク内で、印刷後に転写化合物に添加されてもよい。
【０１２０】
中間化合物は、着色インク内で、何らかの公知の手段によって、特にスプレーすることによって、転写化合物に添加されてもよい。
【０１２１】
中間化合物は、好ましくは、着色インクが転写面によって依然支持されている間、ケラチン材料に着色インクを施与させる前に、転写化合物に添加される。
【０１２２】
転写化合物は、温度２０℃で流体でなくてもよく、それに対して、転写面によって支持された着色インクは、３０℃から６０℃の間、たとえば３０℃から５０℃の間の温度で流体である。
【０１２３】
一実施形態の実施例では、着色インクは、ケラチン材料に施与される前に３０℃から６０℃の間の温度になる。変形形態として、着色インクは、着色インクでコーティングされることが意図されるケラチン材料の領域に接触している間、３０℃から６０℃の間の温度になる。
【０１２４】
着色インクは、その施与前に３０℃から６０℃の間の温度になることが意図される場合、この温度になった着色インクを、転写によって表面にメイクアップ結果が生成されるように爪に施与させてもよい。着色インクは、たとえばヘアドライヤまたは赤外線源を用いて３０〜６０℃の温度にしてもよい。
【０１２５】
転写面が基材の一部から取外し可能である場合、使用者は、まず基材の残りの部分から転写面を剥がし、次いでこのように剥がされた転写面に存在する着色インクを、ケラチン材料上に、転写によって施与することができる。
【０１２６】
着色インクは、加熱部材近くに配置することによって、３０℃から６０℃の間の温度にしてもよい。変形形態として、印刷直後に得られた着色インクは、すでにそのような温度にあってもよく；次いで使用者は、この温度で、冷却前に着色インクをケラチン材料に施与させることができる。
【０１２７】
さらに別の態様によれば、本発明は、本発明によるデバイスを製造するための化粧品用アセンブリであって、同じパッケージ内に：
ａ）・色素と、
・色素以外の、１２０℃以上の沸点を有する転写化合物
を含む化粧品用着色インクを含むプリンタカートリッジと、
ｂ）着色インクで印刷されることが意図される転写面と
を含む化粧品用アセンブリに関する。
【０１２８】
中間流体化合物の添加を必要とせずに転写する着色インクの能力の測定
上述のように、着色インクは、特に好ましくは、中間流体化合物を添加せずにケラチン材料上に転写することが可能である。
【０１２９】
所与の着色インクがこの性質を有するか否かをチェックするために、表面によって支持された検討中の着色インクのコートを、Ｂｉｏｓｋｉｎ  ｒｅｆ  ＃ｗｈｉｔｅ  ０６１０３１−２というブランド名でＢｅａｕｌａｘ社から販売された人工皮膚のサンプルに接触させて配置する。
【０１３０】
接触は、大気温度および圧力条件下（２０℃および１ｂａｒ）、５０００パスカル（すなわち、５０ｇ／ｃｍ２）の圧力を加えることによって、１秒の時間にわたって行う。中間流体化合物は、接触の前または最中に着色インクにもサンプルにも添加されない。
【０１３１】
視覚評価を行う。
【０１３２】
着色インクがケラチン材料上に転写された場合、着色インクは、中間流体化合物を添加せずにケラチン材料上に転写されることが可能であると見なす。
【０１３３】
色素
着色インクは、水溶性染料、脂溶性染料、粉末状色素、たとえば顔料、特に真珠層、および光沢材薄片、あるいは着色ポリマーから選択された、１種または複数の色素を含んでいてもよい。
【０１３４】
色素は、着色インクの全重量に対して０．０１重量％から４０重量％、好ましくは０．１重量％から３０重量％、優先的には０．５重量％から２０重量％の範囲の含量で、着色インク中に存在していてもよい。
【０１３５】
「顔料」という用語は、何らかの形の白色または着色された無機または有機粒子であって、化粧品媒体には不溶でありかつ着色インクを着色することが意図されるものを意味すると理解すべきである。
【０１３６】
「真珠層」という用語は、ある軟体動物によってそれらの殻の中で特に生成された、またはそうでない場合には合成された、何らかの形状の真珠光沢の（ｉｒｉｄｅｓｃｅｎｔ）粒子を意味すると理解すべきである。
【０１３７】
顔料は、白色、または着色されていてもよく、無機および／または有機物であってもよい。挙げることができる無機顔料の中には、二酸化チタン、任意選択で表面処理された酸化ジルコニウムまたは酸化セリウム、さらに酸化亜鉛、酸化鉄（黒、黄、または赤）または酸化クロム、マンガンバイオレット、ウルトラマリンブルー、クロム水和物およびフェリックブルー、および金属粉末、たとえばアルミニウム粉末および銅粉末がある。
【０１３８】
挙げることができる有機顔料の中には、カーボンブラック、Ｄ＆ＣおよびＦＤ＆Ｃ型の顔料、コチニールカルミンまたはバリウム、ストロンチウム、カルシウム、もしくはアルミニウムをベースにしたレーキがある。
【０１３９】
真珠箔は、チタンまたはオキシ塩化ビスマスでコーティングされた雲母などの白色真珠箔、酸化鉄でコーティングされたチタン雲母、特にフェリックブルーまたは酸化クロムでコーティングされたチタン雲母、有機顔料でコーティングされたチタン雲母、さらに酸塩化ビスマスをベースにした真珠箔などの着色真珠箔料から選択されてもよい。
【０１４０】
水溶性染料の中で、ポンソーの二ナトリウム塩、アリザリングリーン、キンジンイエローの二ナトリウム塩、アマランスの三ナトリウム塩、タルトラジンの二ナトリウム塩、ローダミンの一ナトリウム塩、フクシンの二ナトリウム塩、キサントフィルおよびメチレンブルーを挙げることができる。脂溶性染料の中で、Ｓｕｄａｎ  Ｒｅｄ  ＩＩＩ  （ＣＴＦＡ：  Ｄ＆Ｃ  Ｒｅｄ  １７）、ルテイン、キニザリングリーン（ＣＴＦＡ：  Ｄ＆Ｃ  Ｇｒｅｅｎ  ６）、アリズロールパープルＳＳ  （ＣＴＦＡ：  Ｄ＆Ｃ  Ｖｉｏｌｅｔ  ２）、スーダンブラウン、Ｄ＆Ｃ  Ｙｅｌｌｏｗ  １１、Ｄ＆Ｃ  Ｏｒａｎｇｅ  ５、キノリンイエロー、クルクミン、カロテノイド誘導体、たとえばリコペン、ベータ−カロテン、ビキシン、またはカプサンシン、およびこれらの混合物を挙げることができる。着色ポリマーは一般に、少なくとも２種の異なるモノマーをベースにしたコポリマーであり、その少なくとも１種はモノマー有機染料である。そのようなポリマー染料は、当業者に公知である。たとえば、下記の文献：米国特許第５  ０３２  ６７０号；米国特許第４  ９９９  ４１８号；米国特許第５  １０６  ９４２号；米国特許第５  ０３０  ７０８号；米国特許第５  １０２  ９８０号；米国特許第５  ０４３  ３７６号；米国特許第５  １０４  ９１３号；米国特許第５  ２８１  ６５９号；米国特許第５  １９４  ４６３号；米国特許第４  ８０４  ７１９号；  ＷＯ  ９２／０７９１３、またはＥＰ  １  ０４８  ２８２を参照することができる。
【０１４１】
着色インクは、１種または複数の色素、特にフォトクロミック顔料、すなわちある周波数の光源で照射されたときに色を変化させ、次いで照射を停止したときにそれらの初期の色または類似の色を取り戻す性質を有する色素を含んでいてもよい。フォトクロミック色素の中で、特に：
−  複合無機フォトクロミック化合物、より具体的にはドープ型アルミノシリケートおよび金属酸化物および金属酸化物水和物、たとえばＷＯ−Ａ−０２／３６０８３に記載されているもの；
−  フォトクロミックナフトピラン化合物、特に３Ｈ−ナフト［２，１−ｂ］ピランまたは２Ｈ−ナフト［１，２−ｂ］ピラン、たとえば３，３−ビス（４−メトキシフェニル）−６−モルホリノ−３Ｈ−ナフト［２，１−ｂ］ピラン、３−フェニル−３−（４−モルホリノフェニル）−６−モルホリノ−３Ｈ−ナフト［２，１−ｂ］ピラン、３−フェニル−３−（４−ピペリジノフェニル）−６−モルホリノ−３Ｈ−ナフト［２，１−ｂ］ピラン、３−フェニル−３−（４−ピペリジノフェニル）−６−カルボキシメチル−９−Ｎ−ジメチル−３Ｈ−ナフト［２，１−ｂ］ピラン、または２−フェニル−２−（４−ピペリジノフェニル）−５−カルボキシメチル−９−Ｎ−ジメチル−２Ｈ−ナフト［１，２−ｂ］ピランを挙げることができる。そのような化合物は、特許出願ＥＰ−Ａ−１  ４１０  ７８５に記載されている；
−  ジアリールエテンまたはフルギド化合物、たとえば特許出願ＥＰ−Ａ−９３８  ８８７に記載されているもの
を挙げることができる。
【０１４２】
着色インクは、１種または複数の充填剤を、着色インクの全重量に対して特に０．０１％から５０重量％の範囲の含量で、好ましくは０．０１重量％から３０重量％の範囲の含量で含んでいてもよい。
【０１４３】
「充填剤」という用語は、このインクが製造される温度にかかわらず、着色インクの媒体に不溶な、何らかの形状の、無色または白色の無機または合成粒子を意味すると理解すべきである。
【０１４４】
これらの充填剤は、特に、着色インクのレオロジーまたはテクスチャを修正する働きをする。
【０１４５】
充填剤は、結晶学的形態（たとえば、層状、立方晶、六方晶、斜方晶など）にかかわらず、何らかの形状、平板形状、球状、または長円形の、無機または有機物であってもよい。タルク、雲母、シリカ、カオリン、ポリアミド（Ｎｙｌｏｎ（登録商標））粉末（Ｏｒｇａｓｏｌ（登録商標）、Ａｔｏｃｈｅｍ製）、ポリ−β−アラニン粉末およびポリエチレン粉末、テトラフルオロエチレンポリマー（Ｔｅｆｌｏｎ（登録商標））粉末、ラウロイルリシン、デンプン、窒化ホウ素、ポリ塩化ビニリデン／アクリロニトリル微小球などの中空ポリマー微小球、たとえばＥｘｐａｎｃｅｌ（登録商標）（Ｎｏｂｅｌ  Ｉｎｄｕｓｔｒｉｅ）、アクリル酸コポリマー微小球（Ｐｏｌｙｔｒａｐ（登録商標）、Ｄｏｗ  Ｃｏｒｎｉｎｇ社製）、およびシリコーン樹脂マイクロビーズ（たとえば、Ｔｏｓｐｅａｒｌｓ（登録商標）、東芝製）、エラストマーポリオルガノシロキサン粒子、沈降炭酸カルシウム、炭酸マグネシウム、炭酸水素マグネシウム、ヒドロキシアパタイト、中空シリカ微小球（Ｓｉｌｉｃａ  Ｂｅａｄｓ（登録商標）、Ｍａｐｒｅｃｏｓ製）、ガラスまたはセラミックマイクロカプセル、および８から２２個の炭素原子、好ましくは１２から１８個の炭素原子を含有する有機カルボン酸から誘導された金属石けん、たとえばステアリン酸亜鉛、ステアリン酸マグネシウム、ステアリン酸リチウム、ラウリン酸亜鉛、またはミリスチン酸マグネシウムを挙げることができる。
【０１４６】
着色インクは、被膜形成ポリマーなどの追加のポリマーを含んでいてもよい。「被膜形成ポリマー」という用語は、それ自体でまたは補助的被膜形成剤の存在下、支持体に、特にケラチン材料に接着する連続被膜を形成することが可能なポリマーを意味する。着色インクで使用されてもよい被膜形成ポリマーの中で、ラジカル型または重縮合体型の合成ポリマー、天然由来のポリマー、およびこれらの混合物、特にアクリルポリマー、ポリウレタン、ポリエステル、ポリアミド、ポリ尿素、およびセルロース系ポリマー、たとえばニトロセルロースを挙げることができる。
【０１４７】
言うまでもなく、当業者なら、着色インクの有利な性質が、考えられる添加物（ｅｎｖｉｓａｇｅｄ  ａｄｄｉｔｉｏｎ）によって悪影響を受けないようにまたは実質的に受けないように、これまたはこれらの任意選択の追加の化合物および／またはそれらの量を選択するのに注意を払うであろう。
【０１４８】
化粧品として許容される媒体
本発明による着色インクは、化粧品として許容される媒体、すなわち顔または身体の皮膚、唇、毛髪、まつ毛、眉毛、および爪などのケラチン材料に適合性のある媒体を構成する。
【０１４９】
本発明は、その非限定的な実現例に関する以下の記述を読むことによって、かつ添付図面を検討することによって、より明瞭に理解することができる。
【図面の簡単な説明】
【０１５０】
【図１】本発明によるメイクアップデバイスの実施例を示す図である。
【図２】図１のメイクアップデバイスの、ＩＩ−ＩＩに沿った断面を示す図である。
【図３】本発明による、メイクアッププロセスの実施例の、種々のステップを表す図である。
【図４】本発明による、メイクアッププロセスの実施例の、種々のステップを表す図である。
【図５】本発明による、メイクアッププロセスの実施例の、種々のステップを表す図である。
【図６】本発明による化粧品用アセンブリの実施例を表す図である。
【図７】本発明による化粧品用アセンブリの実施例を示す図である。
【図８】本発明によるメイクアップデバイスを製造するための様々なステップを示す、ブロック図である。
【図９】本発明によるメイクアッププロセスの変形形態を示す図である。
【図１０】本発明によるメイクアッププロセスの変形形態を示す図である。
【図１１】本発明によるメイクアッププロセスの変形形態を示す図である。
【図１２】本発明によるメイクアップデバイスを使用して得られた転写メイクアップ結果の実施例を示す図である。
【発明を実施するための形態】
【０１５１】
図１および図２は、その正面が転写面３を画定する基材２を含む、本発明によるメイクアップデバイス１を示す。デバイス１は、図示されるように、転写面３を画定するただ１つの面を有していてもよく、これは本発明による少なくとも１種の化粧品用着色インクのコート４を支持している。
【０１５２】
一変形形態では、図示しないが、基材２の２つの対向面によって２つの転写面３が画定される。この場合、これらの面は異なる化粧品用インクのコートを支持してもよく、これらのコートはおそらく、それらの色、支持される着色インクの性質、および／または形成されたパターンが異なっている。
【０１５３】
図１および図２に示されるデバイス１では、転写面３によって支持される着色インク４のコートは、デジタルプリンタを使用して印刷することによって堆積され、このプリンタは、たとえばラスタの形で、再現される画像の画素に対応するインクドットを堆積するものである。このコート４は、ケラチン材料に施与させるときには完全には乾燥せず、たとえば、温度２０℃で流体である転写化合物を含む。
【０１５４】
各着色インクは、色素と、この色素とは異なりかつ１２０℃以上の沸点を有する転写化合物とを含む。各着色インクは、先に詳述したように、複数の異なる転写化合物を含んでいてもよい。
【０１５５】
コート４は、何らかのタイプのパターンを、たとえば図示されるようにハートの形で形成してもよい。
【０１５６】
基材２は、透明なまたは半透明の、かつ全体的にまたは部分的にコート４が重ねられていてもよい、少なくとも１つの不透明ではない領域５を有していてもよい。透明領域５によれば、使用者は、基材２を通して見ることが可能になり、したがって、このデバイスが前記表面上に重ねられた場合、メイクアップされる表面がデバイス１を通して視覚化される。
【０１５７】
コート４のすべては、図示されるように、透明領域５上に重ねられてもよい。一変形形態では、図示しないが、コート４の一部のみが透明領域５上に重ねられる。
【０１５８】
基材２は、透明材料で作製されてもよい。次いで透明領域５は、基材２の全面にわたって拡がる。
【０１５９】
基材２は、表示７、たとえばプリントを保持していてもよく、この表示は、メイクアップのための推奨される位置決めに関する情報、たとえば図示されるような「右頬（ｒｉｇｈｔ  ｃｈｅｅｋ）」という情報、または転写されるパターンの場所および正しい縮尺、縮小またはそうではないものの再現に関する情報、または着色インクでメイクアップされることが意図されるケラチン材料の性質などの情報を与えるものであり、また、カラーおよび／またはパターンリファレンスに関する情報を提供してもよい。
【０１６０】
基材２は、好ましくは可撓性材料で作製される。変形形態として、基材２は、剛性または半剛性材料で作製される。
【０１６１】
コート４上に重ねられた転写３の領域のすべてまたは部分は、好ましくは滑らかであり、１ｍｍ以下、特に１から１００μｍの間、好ましくは５０μｍ以下の粗さを有する。粗さは、粗さ計を使用して測定され、その先端は１０ｍｍの曲率半径を有し、特徴付けられる材料に加えられるその力は６ｍＮである。
【０１６２】
図３から図５は、本発明によるメイクアッププロセスの実施例の様々なステップを概略的に示す。図示されるように、デバイス１を、まず、好ましくは乾燥しているメイクアップされる皮膚Ｐの領域に近付けて、コート４が、メイクアップされる皮膚Ｐの領域に接触させて配置するようにし、次いで使用者は、圧力を加えて、メイクアップされる皮膚Ｐの領域上に着色インクを転写させる。ケラチン材料との接触中、基材２は、好ましくは、転写されるパターンの外観に影響を及ぼさないように、横に動かさない。
【０１６３】
ケラチン材料上に転写されるパターンは、基材２上に存在するとき（すなわち、メイクアップされるケラチン材料上に未だ転写されていないとき）にコート４によって形成されたパターンに対応する。
【０１６４】
一実施例において、図示しないが、プロセスは、ケラチン材料上に得られたメイクアップ結果を仕上げるステップも含む。仕上げは、たとえば、特殊効果が得られるように、デバイス１でメイクアップされる表面をラビングすることによって行われる。
【０１６５】
図６は、本発明による化粧品用アセンブリ１０の、実施形態の実施例を示す。このアセンブリは、同じパッケージ内に、本発明による複数のデバイス１を含み、その各々は、コート４によって形成されたパターンおよび／またはコート４の色が異なる。パッケージは、インクが乾固しないように耐漏洩性であってもよい。パッケージは、早期の転写のリスクが低減するように、インクと転写面以外の面との接触を回避するための手段により作製されてもよい。たとえばパッケージは、その壁が、インクで覆われた基材の領域からある距離を延びる、熱成形されたシェルを含む。
【０１６６】
次に、本発明によるデバイスを製造するためのプロセスの実施例について、図８を参照しながら記述する。
【０１６７】
第１のステップ１００では、たとえば機械のスクリーン上に表示することによって、様々なパターンが使用者に提示される。使用者によりパターンを選択するステップ１０１は、印刷されることが意図されるパターンを選択するために、タッチスクリーンを押すなどの動作を含んでいてもよい。
【０１６８】
機械は、使用者に対してメイクアップ結果のシミュレーションを提供してもよい。したがって機械は、選択されたまたは生成されたパターンでメイクアップされたケラチン材料の外観の、シミュレーションを表示してもよい。このようにするために、機械は、メイクアップされるケラチン材料の少なくとも１つの画像を獲得してもよい。
【０１６９】
一変形形態では、使用者は、自分が印刷したいパターンを持つコンピュータファイルを作成する。この場合、使用者は、そのようなパターンを作成するためのドローイングソフトウェアを使用し、それを編集し、たとえば画像フォーマットでファイルに編集してもよい。
【０１７０】
パターンが選択されまたは作製されたら、機械はステップ１０２で、パターンを印刷するのに必要なデータをプリンタに送信する。
【０１７１】
機械は、物理的にかつ／またはネットワークを用いて、印刷を行うプリンタに接続されてもよい。
【０１７２】
データが受信されたら、ステップ１０３でパターンを印刷する。
【０１７３】
プリンタドライバは、プリンタに実装された他のカートリッジの中から化粧品用インクカートリッジを、かつ／または印刷される基材の性質を選択するための、メニューを含んでいてもよい。変形形態として、プリンタは、実装されたカートリッジが本発明による化粧品用インクを含有することを自動的に認識し、その結果、操作パラメータを調節する。したがってカートリッジは、それが含有する着色インクの性質、特に化粧品の性質を持つこのインクに関連する情報をプリンタに提供するための識別装置、たとえば電子チップを含んでいてもよい。
【０１７４】
一実施形態の実施例では、プリンタは、ヒトケラチン材料、特に皮膚、爪、または唇に接触して配置することが意図されない組成物を含むカートリッジの存在が検出された場合、印刷を禁止するように構成される。
【０１７５】
変形形態として、プリンタは、ヒトケラチン材料、特に皮膚、爪、または唇に接触して配置することが意図されない組成物を含むカートリッジの存在が検出された場合であっても、印刷を行ってもよく、この非化粧品用インクカートリッジはおそらく、転写面によって支持される化粧品用着色インクおよび／またはメイクアップされるケラチン材料の性質に関する表示を基材上に印刷するために使用される。
【０１７６】
基材の印刷は、基材上に堆積されるインクの量が増加するように、同じ場所でインクを連続して堆積させるために数回のパスで行ってもよい。基材は、たとえばプリンタ内で１から２０回の間のパスを行ってもよく、堆積される化粧品用インク乾燥物質の量は、たとえば０．０１ｍｇ／ｃｍ２から１００ｍｇ／ｃｍ２、さらに０．１ｍｇ／ｃｍ２から１０ｍｇ／ｃｍ２、さらに良好には０．２ｍｇ／ｃｍ２から１０ｍｇ／ｃｍ２、特に０．２ｍｇ／ｃｍ２から５ｍｇ／ｃｍ２の範囲である。
【０１７７】
パターンは、単色またはさらに良好には多色であってもよい。この場合、印刷は、プリンタ内を通過するたびに、再現される色に応じて、微視的規模で局所的に並置される数種の化粧品用インクで行ってもよい。印刷解像度は、１６ｄｐｉから１６００ｄｐｉの間であってもよい。
【０１７８】
プリンタは、基材上にあらかじめ堆積されたインクが、インクの新しいコートを印刷する前に十分に乾燥したか否かを、たとえば２点間の電気伝導を測定することによって検出するように設計されてもよい。
【０１７９】
プリンタおよび／またはプリンタドライバは、すでに印刷された基材上に新しい印刷を行う前に、あらかじめ定められた時間を待つ必要があることを使用者に知らせるように作製されてもよい。プリンタおよび／またはドライバは、十分乾燥させるのに十分な時間が経過しなかった場合、すでに印刷された基材の印刷を自動的に見合わせてもよい。プリンタは、印刷されるインクのコートのすべてが印刷されていない限り、印刷された基材を送出しないように、好ましくは配置構成される。
【０１８０】
図７は、本発明による化粧品用アセンブリ２０の実施形態の実施例を示す。化粧品用アセンブリ２０は、同じパッケージ内に：
ａ）本発明による化粧品用着色インクを含むプリンタカートリッジ２１と、
ｂ）たとえば基材シートによって画定された、着色インクで印刷されることが意図される転写面３と
を含む。
【０１８１】
この化粧品用アセンブリは、必要な場合、カートリッジを使用することが意図されるプリンタで使用者に提供されてもよい。
【０１８２】
図９は、本発明によるプロセスの変形形態を示し、転写面３が加熱部材３０の熱に曝され、その結果着色インク４のコートが流動化するようになり、たとえば最初は固体の形または流体には至らない形をとる。
【０１８３】
次いでこのように熱によって流動化された着色インク４のコートを、任意選択で、加熱から得られた最高温度に対してたとえば着色インクのコートが少なくとも５℃失うのに十分であるが、十分な熱さである時間が過ぎた後に、メイクアップされるケラチン材料に接触させて配置する。
【０１８４】
図１１は、水５１などの溶媒がインク４のコート上にスプレーされる、本発明による別のプロセスの変形形態を示す。前記コートは、たとえば固体の形をとり、このように表面にスプレーされた溶媒は、コートを濡らす。インクは固体でなくてもよいが、表面にスプレーされる溶媒は、コートをより流動的にするのを助ける。次いで濡らした着色インクを、ケラチン材料に接触させて配置する。溶媒は、たとえば、使用者によって作動されるエアロゾル型の加圧容器５０を使用してスプレーする。
【０１８５】
図１０は、転写面３が、表面にインクのコートが存在するアプリケーターローラ４０の外面からなる、本発明によるデバイスの実施形態の変形形態を示す。そのような面は、有利には、背中、おなか、または脚などの広い面積上で転写メイクアップ施与を行うのを可能にする。
【０１８６】
（実施例）
（実施例１）
下記の表に示される配合物に対応する、本発明による４種の組成物を調製した：
【０１８７】
【表１】
2017501812.tif 000003
【０１８８】
下記の表に示される配合物に対応した、本発明の範囲外にある４種の組成物を調製した：
【０１８９】
【表２】
2017501812.tif 000004
【０１９０】
これらの組成物は、Ｃａｎｏｎプリンタカートリッジ内に置かれ、次いでＣａｎｏｎ  Ｐｉｘｍａ  ＩＰ１００インクジェットプリンタと共に使用されるが、これはたとえばＰｏｗｅｒＰｏｉｎｔ（登録商標）ソフトウェアで生成されたメイクアップパターンを印刷することが要求される。印刷は、インクの各々を独立して使用して、商用プリンタ用の透明プラスチックシート（滑らかな面）上で行われる。
【０１９１】
各々の印刷後、待機時間８分を順守し、次いで転写面が皮膚の領域、たとえば腕に施与される。
【０１９２】
鮮明かつ明瞭に見えるパターンが、本発明による配合物の場合に得られる。逆に、本発明の範囲外にある配合物の場合、パターンはあまり良く見えないまたは見えない。
【０１９３】
（実施例２）（図１２に対応）
メイクアップパターンを、異なる色を使用して生成する。
【０１９４】
このパターンは、ブラックラインおよびぼかし領域を含む。パターンの２つの部分は互いに隔てられており、メイクアップ結果の精密さをもたらしている。
【０１９５】
実施例１におけるように、透明プラスチックプリンタシートを、インクのコートを受容するための基材として使用する。
【０１９６】
実施例１の本発明によるインクを、プラスチックシート上に印刷する。同じ実験を、実施例１の発明の範囲外にある配合物を使用して行う。
【０１９７】
５分後、シートを眼瞼に施与させて転写を行う。
【０１９８】
本発明によるインクで生成されたパターンのみが、転写を実現させる。
【０１９９】
結果は精密であり、従来のメイクアップ手段によって得難いものであることがわかった。
【０２００】
２分以内で、図１２に示されるように、縁部を柔らかくしそれによって境界が消えるようにするために、パターンはその上部が拡がった。逆に、底部領域（ラインと、ラインおよび領域の間のスペース）では拡がらないように注意が払われる。
【０２０１】
（実施例３）
水不混和性転写化合物を含む配合物の実施例
下記の表に示される配合物に対応する、本発明による４種の組成物を調製した：
【０２０２】
【表３】
2017501812.tif 000005
【０２０３】
プロセスは、実施例１におけると同様に、Ｃａｎｏｎプリンタカートリッジ内に導入されたこれらの組成物を使用し、次いでＣａｎｏｎ  Ｐｉｘｉｍａ  ＩＰ１００インクジェットプリンタと共に使用して行う。
【０２０４】
各インクごとに、商用プリンタ用の透明プラスチックシートの滑らかな面に印刷した後、待機時間８分を順守し、次いで転写面が、皮膚の領域、たとえば腕に施与される。
【０２０５】
鮮明かつ明瞭に見えるパターンが、本発明による配合物の場合に各インクごとに得られる。
【０２０６】
「含む（ｃｏｍｐｒｉｓｉｎｇ）」という表現は、「少なくとも１つを含む（ｃｏｍｐｒｉｓｉｎｇ  ａｔ  ｌｅａｓｔ  ｏｎｅ）」同義と理解すべきである。
【０２０７】
「．．．から．．．の間（ｂｅｔｗｅｅｎ．．．ａｎｄ．．．）」または「．．．から．．．の範囲（ｒａｎｇｉｎｇ  ｆｒｏｍ  ．．．ｔｏ．．．）」という表現は、限界値を含むとして理解すべきである。
【符号の説明】
【０２０８】
１  メイクアップデバイス
２  基材
３  転写面
４  着色インク
５  透明領域、不透明ではない領域
７  表示
８  コーティング、保護コーティング
１０  化粧品用アセンブリ
２０  化粧品用アセンブリ
２１  プリンタカートリッジ
４０  アプリケーターローラ
５０  加圧容器
５１  水
【図１】
2017501812.tif 000006
【図２】
2017501812.tif 000007
【図３−５】
2017501812.tif 000008
【図６】
2017501812.tif 000009
【図７】
2017501812.tif 000010
【図８】
2017501812.tif 000011
【図９】
2017501812.tif 000012
【図１０】
2017501812.tif 000013
【図１１】
2017501812.tif 000014
【図１２】
2017501812.tif 000015
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
ヒトケラチン材料（Ｐ）をメイクアップするための転写デバイス（１）であって、
−  少なくとも１つの転写面（３）を有する基材（２）と、
−  前記転写面（３）によって支持されかつ少なくとも１つのデジタルプリンタを使用して印刷することによって得られた少なくとも１種の化粧品用着色インクのコート（４）であり、前記着色インクは、転写によって前記ケラチン材料（Ｐ）上にメイクアップの結果が得られるように、前記ケラチン材料（Ｐ）に施与されることが意図されるものであるコートと
を含み、前記着色インク（４）は、
・  色素と、
・  前記色素以外の、１２０℃以上の沸点を有する転写化合物と
を含むデバイス（１）。
【請求項２】
前記転写化合物が、好ましくは、グリセロール、エチレングリコール、ジエチレングリコール、トリエチレングリコール、１，５−ペンタンジオール、１−ペンタノール、１−ヘキサノール、ベンジルアルコール、１−ヘキサナール、１−ヘプタナール、２−ピロリドン、Ｎ−メチル−２−ピロリドン、Ｎ−エチルピロリジン、炭酸プロピレン、１，３−ジアミノプロパン、２−イミダゾリジノン、２−アミノ−１−ブタノール、２−アミノプロパノール、エタノールアミン、酢酸ブチル、およびこれらの混合物から選択される、請求項１に記載のデバイス（１）。
【請求項３】
前記インク（４）が、好ましくは、Ｃ５〜Ｃ６モノアルコール、Ｃ２〜Ｃ６ポリオール、Ｃ６〜Ｃ１０エステル、Ｃ５〜Ｃ８ケトン（特に、環状ケトン）、Ｃ６〜Ｃ７アルデヒド、Ｃ３〜Ｃ８環状カーボネート、Ｃ３〜Ｃ８環状尿素、Ｃ２〜Ｃ６アミノアルコール、Ｃ３〜Ｃ６ジアミン、および水混和性アミノシリコーンから選択される少なくとも１種の水混和性転写化合物を含む、請求項１または２に記載のデバイス（１）。
【請求項４】
前記インク（４）が、好ましくは、酢酸ブチル、ベンジルアルコール、イソドデカン、およびミリスチン酸イソプロピル、ならびにこれらの混合物とから選択される少なくとも１種の水不混和性転写化合物を含む、請求項１から３のいずれか一項に記載のデバイス（１）。
【請求項５】
前記着色インク（４）が、１２０℃以下の沸点を有する液体溶媒も含み、かつ／または前記着色インク（４）が、顔料を全く含まず、かつ／または前記着色インク（４）が、粒状充填剤を全く含まず、かつ／または前記着色インク（４）が、２００ｒｐｍで回転するスピンドルを備えたＲｈｅｏｍａｔ  １８０粘度計を使用して従来のプロセスに従って２５℃で測定したときに１ｍＰａ．ｓから５００ｍＰａ．ｓの範囲の粘度を有する、請求項１から４のいずれか一項に記載のデバイス（１）。
【請求項６】
前記転写化合物が、２０℃の温度で流体である、請求項１から５のいずれか一項に記載のデバイス（１）。
【請求項７】
前記転写化合物が、前記着色インクの全質量に対して２％から８０％の範囲、好ましくは１０％から７０％の範囲、好ましくは１５％から７０％の範囲、特に好ましくは２０％から６０％の範囲の質量含量で前記着色インク中に存在し、かつ／または前記転写化合物は、１２５℃以上の沸点を有し、かつ／または前記色素は、前記着色インクの全質量に対して０．０１％から６０％の範囲、好ましくは０．１％から４０％の範囲、優先的には０．１％から２０％の範囲の質量含量で前記着色インク中に存在し、前記色素は任意選択で１種または複数の染料からなり、かつ／または前記着色インクは、前記色素および前記転写化合物が存在している水を含み、前記水は、前記着色インクの全質量に対して１９．９％から９７．９％の範囲、好ましくは２９．９％から８９．９％の範囲、より優先的には３９．９％から７９．９％の範囲の質量含量で前記着色インク中に存在する、請求項１から６のいずれか一項に記載のデバイス（１）。
【請求項８】
前記転写面が、アプリケーターローラの外面、アプリケーターパッドの表面、シート形態の要素、パッチ、多孔質フォームの表面、特にスポンジまたはワイプ、粗いブラシ、微細なブラシ、または植毛チップのすべてまたは部分によって画定される、請求項１から７のいずれか一項に記載のデバイス（１）。
【請求項９】
前記基材（２）が、前記着色インク（４）でメイクアップされることが意図される前記ケラチン材料の性質に関する表示（７）を含み、かつ／または前記基材（２）は、少なくとも１つの半透明または透明な領域（５）を含む、請求項１から８のいずれか一項に記載のデバイス（１）。
【請求項１０】
前記着色インクのコートが、ラスタドットとして各々堆積された異なる色の数種の着色インクを含み、前記着色インク（４）は、中間流体化合物、特に液体を添加せずに前記ケラチン材料（Ｐ）上に特に転写することが可能である、請求項１から９のいずれか一項に記載のデバイス。
【請求項１１】
同じパッケージ内に、各々が請求項１から１０のいずれか一項に記載されている複数の異なるデバイス（１）を含む、化粧品用アセンブリ（１０）であって、前記デバイスは、それらが支持する前記着色インク（４）の化学的性質および／またはそれによって形成されるパターンおよび／または前記ケラチン材料に係合することが意図される前記転写面の形が異なっている、化粧品用アセンブリ（１０）。
【請求項１２】
請求項１から１０のいずれか一項に記載のデバイス（１）を製造するためのプロセスであって、少なくとも１種の化粧品用着色インク（４）のコートを、転写面（３）上に、少なくとも１つのデジタルプリンタを使用して印刷することにあるステップを含み、前記インクは、
・  色素と、
・  前記色素以外の、１２０℃以上の沸点を有する転写化合物と
を含み、
前記着色インク（４）は、あらかじめ定められたパターンに特に印刷され、前記プロセスは、使用者によってパターンを選択および／または作製し、印刷を行う前記プリンタに接続された機械を用いてこのパターンに関する情報を送信するステップを特に含むプロセス。
【請求項１３】
請求項１から１０のいずれか一項に記載のデバイス（１）を製造するための化粧品用アセンブリ（２０）であって、同じパッケージ内に、
ａ）・  色素、
・  前記色素以外の、１２０℃以上の沸点を有する転写化合物
を含む化粧品用着色インクを含むプリンタカートリッジ（２１）と、
ｂ）前記着色インクで印刷されることが意図される転写面（３）と
を含む、化粧品用アセンブリ（２０）。
【請求項１４】
ヒトケラチン材料（Ｐ）をメイクアップするためのプロセスであって、前記ケラチン材料（Ｐ）に、請求項１から１１のいずれか一項に記載のデバイス（１）上に存在する着色インク（４）を施与することにあるステップを含み、前記着色インク（４）は、皮膚表面（Ｐ）に、たとえば眼瞼、爪、唇、もしくは頭皮、または毛髪に特に施与され、
前記プロセスは、メイクアップ領域とメイクアップされていない領域との間の境界が薄くなるように、前記ケラチン材料上に得られたメイクアップを仕上げるステップであり、前記仕上げは、たとえば転写されたパターンの一部のみに、たとえば眼瞼に施与されたパターンの場合にはその上部に摩擦を引き起こすことで行われるステップ、および／または前記転写面（３）によって支持される着色インク（４）のコートによって形成されたパターンを仕上げるステップも特に含むプロセス。
【請求項１５】
前記着色インクでコーティングされることが意図される前記ケラチン材料は、前記着色インクの施与前に、前記着色インクの転写を改善することが意図される中間流体化合物、特に水で覆われておらず、かつ／またはプロセスは、前記転写面により支持される前記着色インクに、前記転写を改善することが意図される中間流体化合物を添加するステップがない、請求項１４に記載のプロセス。
【国際調査報告】
2017501812.tif 000016
2017501812.tif 000017
2017501812.tif 000018